(57)【特許請求の範囲】
【請求項１】
ＬＣＤパネル、
バックライト駆動電圧に応じた輝度で前記ＬＣＤパネルを照らすバックライト部、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有する液晶表示装置であり、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する輝度制御部、
を含み、
前記映像照会部は、
前記映像信号を保存する保存部、
前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力するフレーム係数部、
同じ単位セルに対応する前記第１データセットと前記第２データセットとを比較して、両者が等しい場合には第１信号を出力し、異なる場合には第２信号を出力するデータ比較部、及び、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する映像判別部、
を含み、
前記映像判別部は、前記複数の単位セルのうち、第１方向に並ぶ単位セルの各々に対応する前記第１データセットと前記第２データセットとの間の比較結果を示す前記データ比較部からの信号が全て第２信号であるか否かをチェックして、チェックされた信号が全て第２信号である場合には第２映像判別信号を出力し、前記チェックされた信号のいずれかが第２信号ではない場合には、前記データ比較部からの一連の信号に含まれる第２信号の数が所定数以上であるか否かをチェックして、前記第２信号の数が前記所定数以上である場合には第２映像判別信号を出力し、前記所定数未満である場合には第１映像判別信号を出力する、
液晶表示装置。
【請求項２】
ＬＣＤパネル、及び、
バックライト駆動電圧に応じた輝度で前記ＬＣＤパネルを照らすバックライト部、
を有する液晶表示装置を駆動するための装置であり、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有し、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する輝度制御部、
を含み、
前記映像照会部は、
前記映像信号を保存する保存部、
前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力するフレーム係数部、
同じ単位セルに対応する前記第１データセットと前記第２データセットとを比較して、両者が等しい場合には第１信号を出力し、異なる場合には第２信号を出力するデータ比較部、及び、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する映像判別部、
を含み、
前記映像判別部は、前記複数の単位セルのうち、第１方向に並ぶ単位セルの各々に対応する前記第１データセットと前記第２データセットとの間の比較結果を示す前記データ比較部からの信号が全て第２信号であるか否かをチェックして、チェックされた信号が全て第２信号である場合には第２映像判別信号を出力し、前記チェックされた信号のいずれかが第２信号ではない場合には、前記データ比較部からの一連の信号に含まれる第２信号の数が所定数以上であるか否かをチェックして、前記第２信号の数が前記所定数以上である場合には第２映像判別信号を出力し、前記所定数未満である場合には第１映像判別信号を出力する、
液晶表示装置の駆動装置。
【請求項３】
ＬＣＤパネルと、前記ＬＣＤパネルを照らすバックライト部とを含む液晶表示装置を駆動するための方法であって、
前記ＬＣＤパネルの画面の中から複数の単位セルを選択する段階、
外部から前記液晶表示装置に入力される映像信号のｋ番目のフレームから、前記複数の単位セルの各々に対応する第１データセットを抽出して保存する段階、
前記映像信号の（ｋ＋Ｎ）番目のフレームから、前記複数の単位セルの各々に対応する第２データセットを抽出して保存する段階、
同じ単位セルに対応する前記第１データセットと前記第２データセットとを比較して、両者が等しい場合には第１の値を第１比較値として設定し、異なる場合には第２の値を第１比較値として設定する段階、
前記複数の単位セルのうち、第１方向に並ぶ単位セルの全てについて第１比較値が第２の値であるか否かをチェックする段階、
前記第１方向に並ぶ単位セルの全てについて第１比較値が第２の値である場合、前記映像信号の示す映像の種類を動映像であると判定する段階、
前記第１方向に並ぶ単位セルのいずれかについて第１比較値が第２の値でない場合、前記複数の単位セルの全てについての第１比較値のうち、第２の値である第１比較値の個数が所定数以上であるか否かをチェックする段階、
前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、
前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、及び、
前記映像信号の示す映像の種類が停止映像であると判定された場合、前記バックライト部の輝度を一定に維持しながら、前記ＬＣＤパネルに映像を表示する段階、
を含む、液晶表示装置の駆動方法。
【請求項４】
ＬＣＤパネル、
バックライト駆動電圧に応じた輝度で前記ＬＣＤパネルを照らすバックライト部、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有する液晶表示装置であり、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するための第１バックライト制御信号を出力し、前記第２映像判別信号を入力した場合には、前記映像信号によって要求される輝度の高低に応じて調節されるバックライト駆動電圧のレベルを指示するための第２バックライト制御信号を出力する輝度制御部、
を含み、
前記映像照会部は、
前記映像信号を保存する保存部、
前記映像信号のｋ番目のフレームからは複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力するフレーム係数部、
同じ単位セルに対応する前記第１データセットと前記第２データセットとを比較して、両者が等しい場合には第１信号を出力し、異なる場合には第２信号を出力するデータ比較部、及び、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する映像判別部、
を含み、
前記映像判別部は、前記一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力し、
前記タイミング制御部は、前記映像信号の一つのフレームに含まれる階調データを階調レベルに応じて少なくとも３つのグループに分割し、階調レベルが最も高い第１グループと階調レベルが最も低い第２グループとの各々について階調データをカウントし、前記第１グループに含まれる階調データの数が、前記映像信号の一つのフレームに含まれる階調データの総数に対して第１比率以上であり、かつ、前記第２グループに含まれる階調データの数が前記総数に対して第２比率以上である場合には、第２バックライト制御信号によって指示されるバックライト駆動電圧のレベルを通常より高くすると共に、前記映像信号に含まれる階調データのうち、階調レベルの低い階調データの示す階調レベルを更に低く変換する、
液晶表示装置。
【請求項５】
ＬＣＤパネル、及び、
バックライト駆動電圧に応じた輝度で前記ＬＣＤパネルを照らすバックライト部、
を有する液晶表示装置を駆動するための装置であり、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有し、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するための第１バックライト制御信号を出力し、前記第２映像判別信号を入力した場合には、前記映像信号によって要求される輝度の高低に応じて調節されるバックライト駆動電圧のレベルを指示するための第２バックライト制御信号を出力する輝度制御部、
を含み、
前記映像照会部は、
前記映像信号を保存する保存部、
前記映像信号のｋ番目のフレームからは複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力するフレーム係数部、
同じ単位セルに対応する前記第１データセットと前記第２データセットとを比較して、両者が等しい場合には第１信号を出力し、異なる場合には第２信号を出力するデータ比較部、及び、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する映像判別部、
を含み、
前記映像判別部は、前記一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力し、
前記タイミング制御部は、前記映像信号の一つのフレームに含まれる階調データを階調レベルに応じて少なくとも３つのグループに分割し、階調レベルが最も高い第１グループと階調レベルが最も低い第２グループとの各々について階調データをカウントし、前記第１グループに含まれる階調データの数が、前記映像信号の一つのフレームに含まれる階調データの総数に対して第１比率以上であり、かつ、前記第２グループに含まれる階調データの数が前記総数に対して第２比率以上である場合には、第２バックライト制御信号によって指示されるバックライト駆動電圧のレベルを通常より高くすると共に、前記映像信号に含まれる階調データのうち、階調レベルの低い階調データの示す階調レベルを更に低く変換する、
液晶表示装置の駆動装置。
【請求項６】
ＬＣＤパネルと、前記ＬＣＤパネルを照らすバックライト部とを含む液晶表示装置を駆動するための方法であって、
（ａ）前記ＬＣＤパネルの画面の中から複数の単位セルを選択する段階、
（ｂ）外部から前記液晶表示装置に入力される映像信号のｋ番目のフレームから、前記複数の単位セルの各々に対応する第１データセットを抽出して保存する段階、
（ｃ）前記映像信号の（ｋ＋Ｎ）番目のフレームから、前記複数の単位セルの各々に対応する第２データセットを抽出して保存する段階、
（ｄ）同じ単位セルに対応する前記第１データセットと前記第２データセットとを比較して、両者が等しい場合には第１の値を第１比較値として設定し、異なる場合に第２の値を第１比較値として設定する段階、
（ｅ）前記複数の単位セルの全てについて第１比較値が第２の値である場合、前記映像信号の示す映像の種類を動映像であると判定する段階、
（ｆ）前記複数の単位セルのいずれかについて第１比較値が第２の値でない場合、第２の値である第１比較値の個数が所定数以上であるか否かをチェックする段階、
（ｇ）前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、
（ｈ）前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、及び、
（ｉ）前記映像信号の示す映像の種類が停止映像であると判定された場合、前記バックライト部の輝度を一定に制御しながら、前記ＬＣＤパネルに映像を表示する段階、
を含み、
段階（ｈ）は、
（ｈ−１）前記映像信号の一つのフレームに含まれる階調データを階調レベルに応じて少なくとも３つのグループに分割し、階調レベルが最も高い第１グループと階調レベルが最も低い第２グループとの各々について階調データをカウントする段階、
（ｈ−２）前記第１グループに含まれる階調データの数が、前記映像信号の一つのフレームに含まれる階調データの総数に対して第１比率以上であるか否かをチェックする段階、
（ｈ−３）前記第１グループに含まれる階調データの数が前記総数に対して前記第１比率以上である場合には、前記第２グループに含まれる階調データの数が前記総数に対して第２比率以上であるか否かをチェックする段階、及び、
（ｈ−４）前記第２グループに含まれる階調データの数が前記総数に対して前記第２比率以上である場合には前記バックライト部の輝度を通常のレベルより高くし、階調レベルの低い階調データの示す階調レベルを更に低く変換する段階、
を含む、液晶表示装置の駆動方法。
【請求項７】
ＬＣＤパネル、
バックライト駆動電圧に応じた輝度で前記ＬＣＤパネルを照らすバックライト部、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有する液晶表示装置であり、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する輝度制御部、
を含み、
前記映像照会部は、
前記映像信号を保存する保存部、
前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、（ｋ＋Ｎ＋Ｍ）番目のフレームからは前記複数の単位セルのうち、第１方向に並ぶ単位セルの各々に対応する第３データセットを抽出して前記保存部に保存し、前記保存部から、前記第１データセット、前記第２データセット、及び前記第３データセットを出力するフレーム係数部、
同じ単位セルに対応する前記第１データセットと前記第２データセットとを比較して、又は同じ単位セルに対応する前記第２データセットと前記第３データセットとを比較して、両者が等しい場合には第１信号を出力し、異なる場合には第２信号を出力するデータ比較部、並びに、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力し、前記第１方向に並ぶ単位セルの各々について前記第２データセットと前記第３データセットとの間の比較結果を示す前記データ比較部からの信号の各々が第１信号と第２信号とのいずれであるかに応じて前記フレーム係数部に、前記第１データセット、前記第２データセット、及び前記第３データセットの少なくともいずれかを再び抽出させる映像判別部、
を含み、
前記映像判別部は、前記複数の単位セルの全てについて前記第１データセットと前記第２データセットとの間の比較結果を示す前記データ比較部からの一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力し、
前記映像判別部は、前記第１方向に並ぶ単位セルの全てについて前記第２データセットと前記第３データセットとの間の比較結果を示す前記データ比較部からの一連の信号が全て第２信号であり、かつ、既に前記映像信号の示す映像の種類が動映像であると判定されている場合には、前記映像信号が更にＭフレーム進むごとに前記フレーム係数部に前記第３データセットを繰り返し抽出させ、少なくとも２回、前記第１方向に並ぶ単位セルの全てについて前記第２データセットと前記第３データセットとの間の比較結果を示す前記データ比較部からの一連の信号が全て第２信号であることが繰り返されれば、前記フレーム係数部に、前記第１データセット、前記第２データセット、及び前記第３データセットを全て再び抽出させ、
前記映像判別部は、前記第１方向に並ぶ単位セルのいずれかについて前記第２データセットと前記第３データセットとの間の比較結果を示す前記データ比較部からの信号が第２信号ではない場合、前記第１方向に並ぶ単位セルのうち、中間地点の単位セルについて前記第２データセットと前記第３データセットとの間の比較結果を示す前記データ比較部からの信号が第１信号であり、かつ、既に前記映像信号の示す映像の種類が停止映像であると判定されていれば、前記映像信号が更にＭフレーム進むごとに前記フレーム係数部に前記第３データセットを繰り返し抽出させ、少なくとも２回、前記中間地点の単位セルについて前記第２データセットと前記第３データセットとの間の比較結果を示す前記データ比較部からの信号が第１信号であることが繰り返されれば、前記フレーム係数部に、前記第１データセット、前記第２データセット、及び前記第３データセットを全て再び抽出させる、
液晶表示装置。
【請求項８】
ＬＣＤパネル、及び、
バックライト駆動電圧に応じた輝度で前記ＬＣＤパネルを照らすバックライト部、
を有する液晶表示装置を駆動するための装置であり、
前記ＬＣＤパネルに走査信号を出力するゲートドライバー、
前記ＬＣＤパネルに画像信号を出力するデータドライバー、
前記バックライト部にバックライト駆動電圧を出力する電力変換器、及び、
外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部、
を有し、
前記タイミング制御部は、
前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する映像照会部、及び、
前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する輝度制御部、
を含み、
前記映像照会部は、
前記映像信号を保存する保存部、
前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、（ｋ＋Ｎ＋Ｍ）番目のフレームからは前記複数の単位セルのうち、第１方向に並ぶ単位セルの各々に対応する第３データセットを抽出して前記保存部に保存し、前記保存部から、前記第１データセット、前記第２データセット、及び前記第３データセットを出力するフレーム係数部、
同じ単位セルに対応する前記第１データセットと前記第２データセットとを比較して、又は同じ単位セルに対応する前記第２データセットと前記第３データセットとを比較して、両者が等しい場合には第１信号を出力し、異なる場合には第２信号を出力するデータ比較部、並びに、
前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力し、前記第１方向に並ぶ単位セルの各々について前記第２データセットと前記第３データセットとの間の比較結果を示す前記データ比較部からの信号の各々が第１信号と第２信号とのいずれであるかに応じて前記フレーム係数部に、前記第１データセット、前記第２データセット、及び前記第３データセットの少なくともいずれかを再び抽出させる映像判別部、
を含み、
前記映像判別部は、前記複数の単位セルの全てについて前記第１データセットと前記第２データセットとの間の比較結果を示す前記データ比較部からの一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力し、
前記映像判別部は、前記第１方向に並ぶ単位セルの全てについて前記第２データセットと前記第３データセットとの間の比較結果を示す前記データ比較部からの信号が全て第２信号であり、かつ、既に前記映像信号の示す映像の種類が動映像であると判定されている場合には、前記映像信号が更にＭフレーム進むごとに前記フレーム係数部に前記第３データセットを繰り返し抽出させ、少なくとも２回、前記第１方向に並ぶ単位セルの全てについて前記第２データセットと前記第３データセットとの間の比較結果を示す前記データ比較部からの信号が全て第２信号であることが繰り返されれば、前記フレーム係数部に、前記第１データセット、前記第２データセット、及び前記第３データセットを全て再び抽出させ、
前記映像判別部は、前記第１方向に並ぶ単位セルのいずれかについて前記第２データセットと前記第３データセットとの間の比較結果を示す前記データ比較部からの信号が第２信号ではない場合、前記第１方向に並ぶ単位セルのうち、中間地点の単位セルについて前記第２データセットと前記第３データセットとの間の比較結果を示す前記データ比較部からの信号が第１信号であり、かつ、既に前記映像信号の示す映像の種類が停止映像であると判定されていれば、前記映像信号が更にＭフレーム進むごとに前記フレーム係数部に前記第３データセットを繰り返し抽出させ、少なくとも２回、前記中間地点の単位セルについて前記第２データセットと前記第３データセットとの間の比較結果を示す前記データ比較部からの信号が第１信号であることが繰り返されれば、前記フレーム係数部に、前記第１データセット、前記第２データセット、及び前記第３データセットを全て再び抽出させる、
液晶表示装置の駆動装置。
【請求項９】
ＬＣＤパネルと、前記ＬＣＤパネルを照らすバックライト部とを含む液晶表示装置を駆動するための方法であって、
（ａ）前記ＬＣＤパネルの画面の中から複数の単位セルを選択する段階、
（ｂ）外部から前記液晶表示装置に入力される映像信号のｋ番目のフレームから、前記複数の単位セルの各々に対応する第１データセットを抽出して保存する段階、
（ｃ）前記映像信号の（ｋ＋Ｎ）番目のフレームから、前記複数の単位セルの各々に対応する第２データセットを抽出して保存する段階、
（ｄ）同じ単位セルに対応する前記第１データセットと前記第２データセットとを比較して、両者が等しい場合には第１の値を第１比較値として設定し、異なる場合に第２の値を第１比較値として設定する段階、
（ｅ）前記複数の単位セルの全てについて第１比較値が第２の値である場合、前記映像信号の示す映像の種類を動映像であると判定する段階、
（ｆ）前記複数の単位セルのいずれかについて第１比較値が第２の値でない場合、第２の値である第１比較値の個数が所定数以上であるか否かをチェックする段階、
（ｇ）前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、
（ｈ）前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、
（ｉ）前記映像信号の示す映像の種類が停止映像であると判定された場合、前記バックライト部の輝度を一定に制御しながら、前記ＬＣＤパネルに映像を表示する段階、
（ｊ）前記映像信号の（ｋ＋Ｎ＋Ｍ）番目のフレームから、前記複数の単位セルのうち、第１方向に並ぶ単位セルの各々に対応する第３データセットを抽出して同じ単位セルに対応する前記第２データセットと比較し、両者が等しい場合には第１の値を第２比較値として設定し、異なる場合には第２の値を第２比較値として設定する段階、
（ｋ）前記第１方向に並ぶ単位セルの全てについて第２比較値が第２の値であり、かつ、既に前記映像信号の示す映像の種類が動映像であると判定されている場合にはその判定を維持したまま、前記映像信号を更にＭフレーム進めて前記段階（ｊ）を繰り返し、少なくとも２回、前記第１方向に並ぶ単位セルの全てについて第２比較値が第２の値であることが繰り返されれば、前記映像信号の次のフレームからは処理を前記段階（ｂ）に戻す段階、
（ｌ）前記第１方向に並ぶ単位セルのいずれかについて第２比較値が第２の値でない場合、前記第１方向に並ぶ単位セルのうち、中間地点の単位セルに対する第２比較値が第１の値であり、かつ、既に前記映像信号の示す映像の種類が停止映像であると判定されていればその判定を維持したまま、前記映像信号を更にＭフレーム進めて前記段階（ｊ）を繰り返し、少なくとも２回、前記中間地点の単位セルに対する第２比較値が第１の値であることが繰り返されれば、前記映像信号の次のフレームからは処理を前記段階（ｂ）に戻す段階、及び、
（ｍ）前記第１方向に並ぶ単位セルのうち、前記中間地点の単位セルについては第２比較値が第２の値であるが、それ以外のいずれかの単位セルについて第２比較値が第２の値ではない場合には、前記映像信号の次のフレームからは処理を前記段階（ｂ）に戻す段階、
を含む、液晶表示装置の駆動方法。
【発明の詳細な説明】
【技術分野】
【０００１】
本発明は液晶表示装置とその駆動装置及びその方法に係わり、より詳しくは、液晶表示装置によって表示されるべき入力映像状態に応じてバックライトの輝度及び信号伝達系のガンマ特性を変更するための適応形輝度増大機能を有する液晶表示装置とその駆動装置及びその方法に関するものである。なお、説明における用語の誤解を軽減するために、表示装置に印加されるアナログ信号を画像信号、表示すべき原信号（入力信号）を映像信号と記すことを原則とする。原信号は一般にディジタル形式であって、ＤＡ変換（階調電圧発生の主要部）により画像信号となる。
【背景技術】
【０００２】
一般に、ＬＣＤ用光源として用いられているＣＣＦＬ（冷陰極蛍光灯）はその特性面において輝度と寿命とが反比例関係にある。つまり、輝度を高くするために高電流で駆動する場合に寿命が縮まる反面、寿命を延ばすためには低電流で駆動しなければならないので高い輝度を達成するのは難しいという問題点がある。しかし、実際は製品適用の見地より殆どの場合高輝度と長寿命とが同時に要求される。
【０００３】
このような要求に対応するために、一般的なＬＣＤの画面状態において、ある程度の輝度で駆動をしている際に特別の高輝度が要求される画面を表示する時、一時的にバックライトのランプに高電流を流して表示するべき輝度に対応して能動領域を広げる技術を適用している。
【０００４】
また、ＬＣＤ自身も画面にディスプレイされる画像に応じてディスプレイ素子が用いる電流の量が変わる。例えば、電圧の印加とともに液晶分子が電界の方向に再配列されて入射した光を遮断するノーマリーホワイト（Ｎｏｒｍａｌｌｙ ｗｈｉｔｅ）モードの場合、一般に画面に明るいピクセルの数が多くなるほどパネルが消耗する電力が小さくなる反面、暗いピクセルの数が多くなるほどパネルが消耗する電力が大きくなる傾向がある。このような傾向を用いて、パネルが消耗する電力に応じてこれと連動しランプの電流値を制御する方法を主に使用している。
【発明の開示】
【発明が解決しようとする課題】
【０００５】
しかしながら、このような技術を適用する場合には、パネルが消費する電流を検出し、これをバックライトを駆動する電力変換器の輝度制御信号の可変範囲に合うように変形しなければならないため、追加的に回路を形成しなければならないという問題点がある。
【０００６】
また、全ての画面に対して輝度を制御するため、制御の必要な画面にのみ輝度を制御する場合に比べて消費電力が高くならざるをえないという問題点がある。
【０００７】
したがって、本発明はこのような従来の問題点を解決するためのものであって、本発明の目的は、一つの映像フレームを単位としてディスプレイされるべき映像データの階調レベルによってバックライトの輝度を制御するための適応形輝度調整機能を有する液晶表示装置を提供することにある。
【０００８】
本発明の他の目的は、ディスプレイされるべき映像データの階調レベルに応じてバックライトの輝度を制御するための適応形輝度調整機能を有する液晶表示装置の駆動装置を提供することにある。
【０００９】
また、本発明の他の目的は、前記適応形輝度調整機能を有する液晶表示装置の駆動装置の駆動方法を提供することにある。
【課題を解決するための手段】
【００１０】
本発明の一つの観点による液晶表示装置は、ＬＣＤパネル、バックライト駆動電圧に応じた輝度で前記ＬＣＤパネルを照らすバックライト部、及び駆動装置を有する。その駆動装置は、前記ＬＣＤパネルに走査信号を出力するゲートドライバー、前記ＬＣＤパネルに画像信号を出力するデータドライバー、前記バックライト部にバックライト駆動電圧を出力する電力変換器、及び、外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部を有する。
【００１１】
タイミング制御部は映像照会部と輝度制御部とを含む。映像照会部は、前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する。輝度制御部は、前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する。
【００１２】
前記映像照会部は、保存部、フレーム係数部、データ比較部、及び映像判別部を含む。保存部は前記映像信号を保存する。フレーム係数部は、前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力する。データ比較部は、同じ単位セルに対応する前記第１データセットと前記第２データセットとを比較して、両者が等しい場合には第１信号を出力し、異なる場合には第２信号を出力する。映像判別部は、前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する。
【００１３】
前記映像判別部は、前記複数の単位セルのうち、第１方向に並ぶ単位セルの各々に対応する前記第１データセットと前記第２データセットとの間の比較結果を示す前記データ比較部からの信号が全て第２信号であるか否かをチェックして、チェックされた信号が全て第２信号である場合には第２映像判別信号を出力し、前記チェックされた信号のいずれかが第２信号ではない場合には、前記データ比較部からの一連の信号に含まれる第２信号の数が所定数以上であるか否かをチェックして、前記第２信号の数が前記所定数以上である場合には第２映像判別信号を出力し、前記所定数未満である場合には第１映像判別信号を出力する。
【００１４】
本発明の一つの観点による液晶表示装置の駆動方法は、ＬＣＤパネルと、前記ＬＣＤパネルを照らすバックライト部とを含む液晶表示装置を駆動するための方法であって、前記ＬＣＤパネルの画面の中から複数の単位セルを選択する段階、外部から前記液晶表示装置に入力される映像信号のｋ番目のフレームから、前記複数の単位セルの各々に対応する第１データセットを抽出して保存する段階、前記映像信号の（ｋ＋Ｎ）番目のフレームから、前記複数の単位セルの各々に対応する第２データセットを抽出して保存する段階、同じ単位セルに対応する前記第１データセットと前記第２データセットとを比較して、両者が等しい場合には第１の値を第１比較値として設定し、異なる場合には第２の値を第１比較値として設定する段階、前記複数の単位セルのうち、第１方向に並ぶ単位セルの全てについて第１比較値が第２の値であるか否かをチェックする段階、前記第１方向に並ぶ単位セルの全てについて第１比較値が第２の値である場合、前記映像信号の示す映像の種類を動映像であると判定する段階、前記第１方向に並ぶ単位セルのいずれかについて第１比較値が第２の値でない場合、前記複数の単位セルの全てについての第１比較値のうち、第２の値である第１比較値の個数が所定数以上であるか否かをチェックする段階、前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、及び、前記映像信号の示す映像の種類が停止映像であると判定された場合、前記バックライト部の輝度を一定に維持しながら、前記ＬＣＤパネルに映像を表示する段階を含む。
【００１５】
本発明の別の観点による液晶表示装置は、ＬＣＤパネル、バックライト駆動電圧に応じた輝度で前記ＬＣＤパネルを照らすバックライト部、及び駆動装置を有する。その駆動装置は、前記ＬＣＤパネルに走査信号を出力するゲートドライバー、前記ＬＣＤパネルに画像信号を出力するデータドライバー、前記バックライト部にバックライト駆動電圧を出力する電力変換器、及び、外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部を有する。
【００１６】
前記タイミング制御部は映像照会部と輝度制御部とを含む。映像照会部は、前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する。輝度制御部は、前記第１映像判別信号を入力した場合には、一定に維持されたバックライト駆動電圧のレベルを指示するための第１バックライト制御信号を出力し、前記第２映像判別信号を入力した場合には、前記映像信号によって要求される輝度の高低に応じて調節されるバックライト駆動電圧のレベルを指示するための第２バックライト制御信号を出力する。
【００１７】
前記映像照会部は、保存部、フレーム係数部、データ比較部、及び映像判別部を含む。保存部は前記映像信号を保存する。フレーム係数部は、前記映像信号のｋ番目のフレームからは複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、前記保存部から前記第１データセットと前記第２データセットとを出力する。データ比較部は、同じ単位セルに対応する前記第１データセットと前記第２データセットとを比較して、両者が等しい場合には第１信号を出力し、異なる場合には第２信号を出力する。映像判別部は、前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力する。
【００１８】
前記映像判別部は、前記一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力する。
【００１９】
前記タイミング制御部は、前記映像信号の一つのフレームに含まれる階調データを階調レベルに応じて少なくとも３つのグループに分割し、階調レベルが最も高い第１グループと階調レベルが最も低い第２グループとの各々について階調データをカウントし、前記第１グループに含まれる階調データの数が、前記映像信号の一つのフレームに含まれる階調データの総数に対して第１比率以上であり、かつ、前記第２グループに含まれる階調データの数が前記総数に対して第２比率以上である場合には、第２バックライト制御信号によって指示されるバックライト駆動電圧のレベルを通常より高くすると共に、前記映像信号に含まれる階調データのうち、階調レベルの低い階調データの示す階調レベルを更に低く変換する。
【００２０】
本発明の別の観点による液晶表示装置の駆動方法は、ＬＣＤパネルと、前記ＬＣＤパネルを照らすバックライト部とを含む液晶表示装置を駆動するための方法であって、（ａ）前記ＬＣＤパネルの画面の中から複数の単位セルを選択する段階、（ｂ）外部から前記液晶表示装置に入力される映像信号のｋ番目のフレームから、前記複数の単位セルの各々に対応する第１データセットを抽出して保存する段階、（ｃ）前記映像信号の（ｋ＋Ｎ）番目のフレームから、前記複数の単位セルの各々に対応する第２データセットを抽出して保存する段階、（ｄ）同じ単位セルに対応する前記第１データセットと前記第２データセットとを比較して、両者が等しい場合には第１の値を第１比較値として設定し、異なる場合に第２の値を第１比較値として設定する段階、（ｅ）前記複数の単位セルの全てについて第１比較値が第２の値である場合、前記映像信号の示す映像の種類を動映像であると判定する段階、（ｆ）前記複数の単位セルのいずれかについて第１比較値が第２の値でない場合、第２の値である第１比較値の個数が所定数以上であるか否かをチェックする段階、（ｇ）前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、（ｈ）前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、及び、（ｉ）前記映像信号の示す映像の種類が停止映像であると判定された場合、前記バックライト部の輝度を一定に制御しながら、前記ＬＣＤパネルに映像を表示する段階を含む。
【００２１】
段階（ｈ）は、（ｈ−１）前記映像信号の一つのフレームに含まれる階調データを階調レベルに応じて少なくとも３つのグループに分割し、階調レベルが最も高い第１グループと階調レベルが最も低い第２グループとの各々について階調データをカウントする段階、（ｈ−２）前記第１グループに含まれる階調データの数が、前記映像信号の一つのフレームに含まれる階調データの総数に対して第１比率以上であるか否かをチェックする段階、（ｈ−３）前記第１グループに含まれる階調データの数が前記総数に対して前記第１比率以上である場合には、前記第２グループに含まれる階調データの数が前記総数に対して第２比率以上であるか否かをチェックする段階、及び、（ｈ−４）前記第２グループに含まれる階調データの数が前記総数に対して前記第２比率以上である場合には前記バックライト部の輝度を通常のレベルより高くし、階調レベルの低い階調データの示す階調レベルを更に低く変換する段階を含む。
【００２２】
本発明の更に別の観点による液晶表示装置は、ＬＣＤパネル、バックライト駆動電圧に応じた輝度で前記ＬＣＤパネルを照らすバックライト部、及び駆動装置を有する。その駆動装置は、前記ＬＣＤパネルに走査信号を出力するゲートドライバー、前記ＬＣＤパネルに画像信号を出力するデータドライバー、前記バックライト部にバックライト駆動電圧を出力する電力変換器、及び、外部から入力される映像信号とタイミング信号とに応じて、前記ゲートドライバーには走査信号を出力させるための信号を出力し、前記データドライバーには画像信号を出力させるための信号を出力し、前記電力変換器にはバックライト駆動電圧のレベルを指示するためのバックライト制御信号を出力するタイミング制御部を有する。
【００２３】
前記タイミング制御部は映像照会部と輝度制御部とを含む。映像照会部は、前記映像信号の特性をチェックして、前記映像信号の示す映像の種類が動映像と停止映像とのいずれであるのかを判別し、判別された映像の種類が停止映像である場合には第１映像判別信号を出力し、前記判別された映像の種類が動映像である場合には第２映像判別信号を出力する。輝度制御部は、前記第１映像判別信号を入力した場合には、一定に維持されたバックライト駆動電圧のレベルを指示するためのバックライト制御信号を出力し、前記第２映像判別信号を入力した場合には、前記映像信号によって要求される輝度の高低に応じて調節されるバックライト駆動電圧のレベルを指示するためのバックライト制御信号を出力する。
【００２４】
前記映像照会部は、保存部、フレーム係数部、データ比較部、及び映像判別部を含む。保存部は前記映像信号を保存する。フレーム係数部は、前記映像信号のｋ番目のフレームからは、前記ＬＣＤパネルの画面に含まれる複数の単位セルの各々に対応する第１データセットを抽出して前記保存部に保存し、（ｋ＋Ｎ）番目のフレームからは前記複数の単位セルの各々に対応する第２データセットを抽出して前記保存部に保存し、（ｋ＋Ｎ＋Ｍ）番目のフレームからは前記複数の単位セルのうち、第１方向に並ぶ単位セルの各々に対応する第３データセットを抽出して前記保存部に保存し、前記保存部から、前記第１データセット、前記第２データセット、及び前記第３データセットを出力する。データ比較部は、同じ単位セルに対応する前記第１データセットと前記第２データセットとを比較して、又は同じ単位セルに対応する前記第２データセットと前記第３データセットとを比較して、両者が等しい場合には第１信号を出力し、異なる場合には第２信号を出力する。映像判別部は、前記複数の単位セルの全てについて前記第１データセットと前記第２データセットとの間の比較結果を示す前記データ比較部からの一連の信号に含まれる第２信号の数に応じて第１映像判別信号と第２映像判別信号とのいずれかを出力し、前記第１方向に並ぶ単位セルの各々について前記第２データセットと前記第３データセットとの間の比較結果を示す前記データ比較部からの信号の各々が第１信号と第２信号とのいずれであるかに応じて前記フレーム係数部に、前記第１データセット、前記第２データセット、及び前記第３データセットの少なくともいずれかを再び抽出させる。
【００２５】
前記映像判別部は、前記複数の単位セルの全てについて前記第１データセットと前記第２データセットとの間の比較結果を示す前記データ比較部からの一連の信号が全て第２信号であるか否かをチェックして、チェックされた信号が全て第２信号である場合には第２映像判別信号を出力し、前記チェックされた信号のいずれかが第２信号ではない場合には、前記一連の信号に含まれる第２信号の数が所定数以上であるか否かをチェックして、前記第２信号の数が前記所定数以上である場合には第２映像判別信号を出力し、前記所定数未満である場合には第１映像判別信号を出力する。
【００２６】
前記映像判別部は、前記第１方向に並ぶ単位セルの全てについて前記第２データセットと前記第３データセットとの間の比較結果を示す前記データ比較部からの一連の信号が全て第２信号であり、かつ、既に前記映像信号の示す映像の種類が動映像であると判定されている場合には、前記映像信号が更にＭフレーム進むごとに前記フレーム係数部に前記第３データセットを繰り返し抽出させ、少なくとも２回、前記第１方向に並ぶ単位セルの全てについて前記第２データセットと前記第３データセットとの間の比較結果を示す前記データ比較部からの一連の信号が全て第２信号であることが繰り返されれば、前記フレーム係数部に、前記第１データセット、前記第２データセット、及び前記第３データセットを全て再び抽出させる。
【００２７】
前記映像判別部は、前記第１方向に並ぶ単位セルのいずれかについて前記第２データセットと前記第３データセットとの間の比較結果を示す前記データ比較部からの信号が第２信号ではない場合、前記第１方向に並ぶ単位セルのうち、中間地点の単位セルについて前記第２データセットと前記第３データセットとの間の比較結果を示す前記データ比較部からの信号が第１信号であり、かつ、既に前記映像信号の示す映像の種類が停止映像であると判定されていれば、前記映像信号が更にＭフレーム進むごとに前記フレーム係数部に前記第３データセットを繰り返し抽出させ、少なくとも２回、前記中間地点の単位セルについて前記第２データセットと前記第３データセットとの間の比較結果を示す前記データ比較部からの信号が第１信号であることが繰り返されれば、前記フレーム係数部に、前記第１データセット、前記第２データセット、及び前記第３データセットを全て再び抽出させる。
【００２８】
本発明の更に別の観点による液晶表示装置の駆動方法は、ＬＣＤパネルと、前記ＬＣＤパネルを照らすバックライト部とを含む液晶表示装置を駆動するための方法であって、（ａ）前記ＬＣＤパネルの画面の中から複数の単位セルを選択する段階、（ｂ）外部から前記液晶表示装置に入力される映像信号のｋ番目のフレームから、前記複数の単位セルの各々に対応する第１データセットを抽出して保存する段階、（ｃ）前記映像信号の（ｋ＋Ｎ）番目のフレームから、前記複数の単位セルの各々に対応する第２データセットを抽出して保存する段階、（ｄ）同じ単位セルに対応する前記第１データセットと前記第２データセットとを比較して、両者が等しい場合には第１の値を第１比較値として設定し、異なる場合に第２の値を第１比較値として設定する段階、（ｅ）前記複数の単位セルの全てについて第１比較値が第２の値である場合、前記映像信号の示す映像の種類を動映像であると判定する段階、（ｆ）前記複数の単位セルのいずれかについて第１比較値が第２の値でない場合、第２の値である第１比較値の個数が所定数以上であるか否かをチェックする段階、（ｇ）前記第１比較値の個数が前記所定数以上である場合には、前記映像信号の示す映像の種類を動映像であると判定し、前記第１比較値の個数が前記所定数未満である場合には、前記映像信号の示す映像の種類を停止映像であると判定する段階、（ｈ）前記映像信号の示す映像の種類が動映像であると判定された場合、前記映像信号によって要求される輝度の高低に応じて前記バックライト部の輝度を一フレーム単位で制御しながら、前記ＬＣＤパネルに映像を表示する段階、（ｉ）前記映像信号の示す映像の種類が停止映像であると判定された場合、前記バックライト部の輝度を一定に制御しながら、前記ＬＣＤパネルに映像を表示する段階、（ｊ）前記映像信号の（ｋ＋Ｎ＋Ｍ）番目のフレームから、前記複数の単位セルのうち、第１方向に並ぶ単位セルの各々に対応する第３データセットを抽出して同じ単位セルに対応する前記第２データセットと比較し、両者が等しい場合には第１の値を第２比較値として設定し、異なる場合には第２の値を第２比較値として設定する段階、（ｋ）前記第１方向に並ぶ単位セルの全てについて第２比較値が第２の値であり、かつ、既に前記映像信号の示す映像の種類が動映像であると判定されている場合にはその判定を維持したまま、前記映像信号を更にＭフレーム進めて前記段階（ｊ）を繰り返し、少なくとも２回、前記第１方向に並ぶ単位セルの全てについて第２比較値が第２の値であることが繰り返されれば、前記映像信号の次のフレームからは処理を前記段階（ｂ）に戻す段階、（ｌ）前記第１方向に並ぶ単位セルのいずれかについて第２比較値が第２の値でない場合、前記第１方向に並ぶ単位セルのうち、中間地点の単位セルに対する第２比較値が第１の値であり、かつ、既に前記映像信号の示す映像の種類が停止映像であると判定されていればその判定を維持したまま、前記映像信号を更にＭフレーム進めて前記段階（ｊ）を繰り返し、少なくとも２回、前記中間地点の単位セルに対する第２比較値が第１の値であることが繰り返されれば、前記映像信号の次のフレームからは処理を前記段階（ｂ）に戻す段階、及び、（ｍ）前記第１方向に並ぶ単位セルのうち、前記中間地点の単位セルについては第２比較値が第２の値であるが、それ以外のいずれかの単位セルについて第２比較値が第２の値ではない場合には、前記映像信号の次のフレームからは処理を前記段階（ｂ）に戻す段階を含む。
【発明の効果】
【００２９】
このような液晶表示装置とその駆動装置及びその方法によれば、映像データによる電流値を検出してバックライトの輝度を調整する従来の技術に比べて、映像データの階調電圧レベルに応じてバックライトの輝度を制御することにより、さらに高いコントラストを実現することができる。
【００３０】
また、表示画面の中から特定部分を複数個選択して映像データの変化を追跡及び観察することにより、バックライトの輝度レベルを制御することができる。
【発明を実施するための最良の形態】
【００３１】
以下、通常の知識を有する者が本発明を容易に実施できるように実施例について説明する。
【００３２】
図１は、本発明の一実施例による液晶表示装置を説明するための図である。
【００３３】
図１を参照すれば、本発明の一実施例による液晶表示装置は ＬＣＤパネル１１０とバックライト部１２０とを含む液晶表示モジュール１００、タイミング制御部２００、ゲートドライバー３００、データドライバー４００、バックライト用電力変換器５００、階調電圧発生部６００を含む液晶表示モジュールの駆動装置を含む。
【００３４】
ＬＣＤパネル１１０はｍ×ｎ個のマトリックスタイプに構成された複数の画素電極で構成され、画素電極には、各々スイッチング素子が設けられている。ゲートラインを通じて、ゲートドライバー３００から提供されるゲート電圧（または走査信号、Ｇ１、Ｇ２、…、Ｇｎ）が該当画素のスイッチング素子に印加されると、データラインを通じてデータドライバー４００から提供されるデータ電圧（または画素信号、Ｄ１、Ｄ２、…、Ｄｍ）に応じて、内蔵された該当画素電極が駆動され、ＬＣＤパネル背面のバックライト部１２０を光源として映像がディスプレイされる。
【００３５】
タイミング制御部２００は、データ係数部２１０、第１合算部２２０、第２合算部２３０、比較部２４０、メモリ制御部２５０及びＳＲＡＭ部２６０を含み、特に本発明の一実施例の説明と関連しては、一つのフレーム単位でＲＧＢそれぞれの階調データを３個の階調レベルグループに分離してカウントする。
【００３６】
大雑把に説明するとタイミング制御部２００は、カウントした一つのフレーム内に明るい階調の映像データが多く含まれる場合には、バックライト用電力変換器５００に通常の駆動電圧より高い駆動電圧を印加するようにインバーター等を含むバックライト用電力変換器５００などの電力変換器を制御して輝度を高くする。
【００３７】
また、カウントした一つのフレーム内に暗い階調の映像データが多く含まれる場合には、バックライト用電力変換器５００には正常な駆動電圧を印加して輝度明るさを維持する一方、液晶表示モジュール１００に印加される階調電圧を調整してより暗い輝度レベルとなるように制御する。
【００３８】
より詳しく記すと、データ係数部２１０は、一つのデータ判別部と２個のカウンターと２個の合算器とから各々構成されたＲデータ係数部２１２、Ｇデータ係数部２１４、Ｂデータ係数部２１６を含んで、外部のグラフィックコントローラー（図示せず）から印加される映像のＲＧＢそれぞれの階調データの数をカウントし、高いレベルのＲＧＢ階調データ（Ｒ３、Ｇ３、Ｂ３）をカウントして第１合算部２２０に出力し、または低いレベルの階調データ（Ｒ１、Ｇ１、Ｂ１）をカウントして第２合算部２３０に出力する。
【００３９】
それでは、Ｒデータ係数部２１２を構成するデータ判別部２１２−１、第１カウンター２１２−３、第２カウンター２１２−５、第１合算器２１２−７、第２合算器２１２−９を例に挙げて本発明をより詳細に説明する。
【００４０】
データ判別部２１２−１は入力されるＲ映像データの階調レベルをチェックして、高い階調レベルのＲデータであると判別される場合には第１カウンター２１２−３に加算し、低い階調レベルのＲデータであるとチェックされる場合には第２カウンター２１２−５に加算する。
【００４１】
第１カウンター２１２−３は、データ判別部２１２−１から提供される高い階調レベルのＲデータを受信しカウントして第１合算器２１２−７にカウントした数を提供し、第２カウンター２１２−５は、低い階調レベルのＲデータを受信しカウントして第２合算器２１２−９にカウントした数を提供する。
【００４２】
第１合算器２１２−７は、第１カウンター２１２−３から提供されるカウント数を、一つの垂直同期信号（Ｖｓｙｎｃ）に応じて一つのフレーム期間毎に高い階調レベルのＲデータの数を合算して第１合算部２２０に出力し、第２合算器２１２−９は、第２カウンター２１２−５から提供されるカウント数を、一つの垂直同期信号（Ｖｓｙｎｃ）に応じて一つのフレーム期間毎に低い階調レベルのＲデータの数を合算して第２合算部２３０に出力する。
【００４３】
第１合算部２２０は、データ係数部２１０から高い階調レベルのＲＧＢそれぞれの映像データの数を一つのフレーム単位で受信し合算して比較部２４０に提供し、第２合算部２３０は、データ係数部２１０から低い階調レベルのＲＧＢそれぞれの映像データの数を一つのフレーム単位で受信し合算して比較部２４０に提供する。
【００４４】
比較部２４０は、一つのフレーム期間毎に第１合算部２２０から入力される高い階調レベルのＲＧＢそれぞれの映像データの数と第２合算部２３０から入力される低い階調レベルのＲＧＢそれぞれの映像データの数とを比較して、高い階調レベルのＲＧＢそれぞれの映像データの数が低い階調レベルのＲＧＢそれぞれの映像データの数より相対的に多いと判定される場合には、バックライト用電力変換器５００に高い駆動電圧を印加するように制御する輝度制御信号２４１を出力して、輝度を高くする。また、その反対である場合には、バックライト用電力変換器５００に普通の駆動電圧を印加するようにする輝度制御信号２４１を出力する。
【００４５】
この時、普通の駆動電圧を印加するようにする輝度制御信号２４１を出力する場合には、バックライトが明るくなることを補償するために、低い階調のデータをさらに低い階調に変換するように制御する輝度制御信号２４１をメモリ制御部２５０に出力する。
【００４６】
メモリ制御部２５０は、グラフィックコントローラー（図示せず）から提供されるＲＧＢそれぞれのディジタル映像データをＳＲＡＭ部２６０に提供する。仮に、特定の範囲の映像データがディスプレイされる場合には、バックライトが明るくなることを補償するために低い階調のＲＧＢ映像データを、ＲＯＭ２５５からさらに低い階調のＲＧＢ映像データ（Ｒ´、Ｇ´、Ｂ´）を抽出してＳＲＡＭ部２６０に出力する。ここでルックアップテーブル（ＬＵＴ）として用いられるＲＯＭ２５５をタイミング制御部２００の外部に設置することをその一例として説明したが、タイミング制御部２００の内部に位置させても本発明の要旨は外れないのであろう。
【００４７】
ＳＲＡＭ部２６０は、メモリ制御部２５０から提供されるＲデータを保存する第１ＳＲＡＭ２６２、Ｇデータを保存する第２ＳＲＡＭ２６４、Ｂデータを保存する第３ＳＲＡＭ２６６を含み、メモリ制御部２５０からＲＧＢ映像データ（Ｒ´、Ｇ´、Ｂ´）を受信して、適応されたＲＧＢ映像データ（ＲＡ、ＧＡ、ＢＡ）をデータドライバー４００に提供する。
【００４８】
この時、比較部２４０から低い階調レベルの輝度制御信号２４１が入力される場合には、バックライトが明るくなることを補償するために、低い階調のデータをさらに低い階調に変換するように制御する信号２５１を階調電圧発生部６００に出力する。
【００４９】
階調電圧発生部６００は、外部のグラフィックコントローラから印加されるＲ、Ｇ、Ｂデータのビット数によって連動して階調を形成してデータドライバー４００に印加し、ゲートドライバー３００は、データドライバー４００から画素に伝達されるデータが画素に伝達できるように導く役割を果たす。もちろん、タイミング制御部２００のメモリ制御部２５０から低い階調に変換するように制御する信号２５１が入力されれば、ノーマルな場合の階調よりさらに低い階調を発生させてデートドライバー４００に出力する。
【００５０】
データドライバー４００はソースドライバーともいうが、タイミング制御部２００から印加される適応されたＲＧＢ映像データ（ＲＡ、ＧＡ、ＢＡ）を各々受信してシフトレジスター（図示せず）内に保存して、データをＬＣＤパネル１１０に送ることを命令する信号（ＬＯＡＤ）が発されれば、Ｄ／Ａ変換により各々のデータに該当する電圧を選択してＬＣＤパネル１１０にその電圧を伝達する。
【００５１】
以上で説明したように、液晶表示装置のバックライト駆動時、局部的に高い階調に集中する画面（または、高いコントラストが要求される画面）や全体的に高い階調が多い画面（または、強い明るさが要求される画面）の場合にはバックライトの輝度を高くし、そうでない場合は輝度を正常に維持することによって映像表示時のコントラストを一層高くすることができる。
【００５２】
以下、本発明による適応形輝度調整機能を有する液晶表示装置の動作をより詳細に説明する。
【００５３】
図２は、一般的な階調別データ数を説明するための図である。
【００５４】
図２に示したように、映像の階調分布は、特定階調（例えば、４５／６４階調）以上のデータの個数と他の特定階調（例えば、３２／６４階調）以下のデータの個数とを計数してこれを比較することによって容易に判断することができる。ここで、４５／６４階調または３２／６４階調というのは、ディスプレイのガンマ値が２である場合、各々の輝度が最高輝度対比１／２または１／４になる階調であるが、このような数値の変更は当業者であれば可能であろう。
【００５５】
輝度を増加させるべき映像の判断方法の一例を挙げて説明すれば、まず、４５／６４階調以上のデータの個数が５％または３％以上であり、３２／６４階調以上のデータ個数の１０倍以上である場合、バックライトの輝度及び低い階調のデータを階調変換する。
【００５６】
以下、本発明によるバックライトの輝度を、駆動される映像に応じて変更させることにして、４段階に分けて駆動することを一実施例として説明する。
【００５７】
図３は、本発明の一実施例による適応形輝度調整機能を有する液晶表示方法を説明するためのフローチャートである。
【００５８】
図３を参照すれば、まず、映像の階調データを４５／６４階調以上をＡ、４５／６４乃至３２／６４階調の間をＢ、３２／６４階調以下をＣのグループに分割して、階調の数字をカウントする（段階Ｓ１００）。
【００５９】
次に、Ａ／（Ａ＋Ｂ＋Ｃ）が０.０８以上であり、Ｃ／Ａが５以上の条件を満たすか否かをチェックして（段階Ｓ２００）、前記条件を満たす場合にはフルホワイトの輝度が６００ｎｉｔｓ（またはｃｄ／ｍ２）になるようにバックライトのランプ電流値またはランプ電流のオン／オフデューティの比率を制御し（段階Ｓ２１０）、低い階調データの階調変換を実施する（段階Ｓ２２０）。
【００６０】
段階Ｓ２００でＡ／（Ａ＋Ｂ＋Ｃ）が０.０８以上であり、Ｃ／Ａが５以上の条件を満足しない場合には、Ａ／（Ａ＋Ｂ＋Ｃ）が０.０５以上でありＣ／Ａが１０以上の条件を満たすか否かをチェックして（段階Ｓ３００）、前記条件を満たす場合にはフルホワイトの輝度が４５０ｎｉｔｓになるようにバックライトのランプ電流値またはランプ電流のオン／オフデューティの比率を制御し（段階Ｓ３１０）、低い階調データの階調変換を実施する（段階Ｓ３２０）。
【００６１】
段階Ｓ３００で前記第２条件を満足しない場合には、Ａ／（Ａ＋Ｂ＋Ｃ）が０.０３以上でありＣ／Ａが２０以上の条件を満たすか否かをチェックして（段階Ｓ４００）、前記第３条件を満たす場合にはフルホワイトの輝度が３００ｎｉｔｓになるようにバックライトのランプ電流値またはランプ電流のオン／オフデューティの比率を制御し（段階Ｓ４１０）、低い階調データの階調変換を実施する（段階Ｓ４２０）。
【００６２】
段階Ｓ４００で前記第３条件を満足しない場合には、フルホワイトの輝度が２００ｎｉｔｓになるようにバックライトのランプ電流値またはランプ電流のオン／オフデューティの比率を制御し（段階Ｓ５１０）、低い階調データの階調変換を実施する（段階Ｓ５２０）。
【００６３】
以上で説明したように、映像の階調データをＡ（４５／６５階調以上）、Ｂ（４５／６４階調乃至３２／６４階調）、Ｃ（３２／６４階調以下）に分けて階調の数字をカウントし、Ａ、Ｂ及びＣの数字を比較して輝度を４段階に制御し、輝度の明るさを制御する。輝度の区分を４５／６４階調と３２／６４階調にするのは、この階調がガンマ値が２である場合を基準にして輝度が各々１／２と１／４になる階調であるが、このような数値に限るわけではない。
【００６４】
実際にＬＣＤパネルの場合、バックライトの輝度が増加すると、低い階調の画素の輝度も同時に増加するようになる。したがって、これらの階調をさらに低くしなければバックライトが輝度を増加させていない時と同一な輝度を維持することができず、このような階調変更をしてこそ真のバックライトのダイナミックレンジが増加したといえる。
【００６５】
それでは、階調変更の例を、前記４段階のうちの２段階（輝度が４５０ｎｉｔｓと２００ｎｉｔｓになる場合）を例に挙げて図４と図５を参照して説明する。
【００６６】
図４は、本発明によるチューニング前の階調別輝度とチューニング後の階調別輝度を説明するための図である。
【００６７】
図４に示されたように、ＬＣＤパネルの階調補正がない場合、バックライトの輝度がパネル輝度２００ｎｉｔｓと４５０ｎｉｔｓに合わされた時の階調別輝度と階調チューニングを行った時の階調別輝度とを示す。
【００６８】
ＬＣＤパネルの階調補正を行わずに階調チューニングを行うと、バックライトの輝度が明るくなったにもかかわらず、低い階調では輝度が明るくなる前と同一な輝度が維持されていることを確認することができる。
【００６９】
図５は、本発明によってバックライトの輝度の変化を考慮した階調チューニングを示した図である。
【００７０】
図５に示されたように、暗い部分はさらに暗くすると同時に、明るい部分の輝度を同一に維持することによって、映像表示の時のコントラストをさらに高くすることができる。
【００７１】
つまり、２００ｎｉｔｓの時のコントラストは３５０〜４００：１であるが、実際の動映像表示の時の有効コントラストは最大１０００：１程度となる。
【００７２】
以上で説明したように、動画では一般に一定の数の映像データが高い階調に集中している反面、これより多くの殆どの映像データが低い階調付近に集中しているので、前記一定の数の高い階調の映像が引き立って見えるようにするために、本発明の一実施例ではバックライトの高輝度化を制御する。これと同時に、低い階調の映像データに対して本発明の一実施例では、本来の階調よりさらに低い階調にデータを変更することにより、高くなったバックライト輝度を補償するようになる。
【００７３】
このような映像以外の連続的な階調分布を有する映像データの場合であれば、消費電力に関係せずに敢えてバックライトの輝度を高くする必要がない。
【００７４】
また、デジタルデータの単純演算を通じてバックライトの電力変換器に輝度制御信号を送る場合にも、本発明の一実施例によれば別途の回路を構成する必要がないので、回路を構成するのにかかる別途の追加費用が発生しない。
【００７５】
このように、液晶表示装置にＴＶ、ＤＶＤなどの動映像を再現しようとする時、前記本発明の一実施例は非常に効果的である。しかしながら、一般に高価であるＬＣＤ ＴＶ（ＴＶ／モニター兼用）の場合はＰＣ用ＴＶの役割と共に個人用モニターとしての活用性も有する。つまり、前記本発明の一実施例によるデジタル方式の適応形輝度調整機能を適用したＬＣＤ ＴＶをモニターとして用いる場合、問題点が発生する恐れが非常に高い。
【００７６】
例えば、デジタル方式の適応形輝度調整機能を適用したＬＣＤ ＴＶ上で文書作業やウェッブサーフィンを行うと、必要以上の高輝度が発生して目の疲労を生じさせる恐れがあり、また、使用中のＬＣＤ画面の輝度レベルの変化が激しいという問題点が発生する。
【００７７】
このように目の疲労と過度の輝度レベルの変化を除去するためには、外部からの操作を通じて任意にデジタル方式の適応形輝度調整機能をオン／オフしなければならない。
【００７８】
したがって、本発明の他の実施例では外部から入力される映像信号の特性を分析して、入力される映像がＴＶ用、ビデオプレーヤー用、ＤＶＤ用などの動映像信号であるか、あるいはモニターで用いられる停止映像信号であるかを識別して、自動的に本発明の一実施例によるデジタル方式の適応形輝度調整機能をオン／オフさせることができるようにする映像識別方法とこれを実現することができる液晶表示装置及びその駆動装置を提供する。
【００７９】
一般にＴＶ用あるいはビデオプレーヤー用などの映像信号は、実際の映像をカメラに保存してこれをアナログあるいはデジタル信号に変更して送出または記録する媒体である。したがって、映像の毎フレームごとの制限された一定の部分を、デジタルあるいはアナログ信号に変換してもフレーム間の微細な部分での差が発生する。
【００８０】
また、停止映像に基づいた信号はデジタル機器を基にして作られ、これをＬＣＤモニターのようなデジタル信号処理媒体に表現すれば、画面に人為的な変化を加えない限り、フレームが異なっても微細な階調部まで同一の値を有するようになる。
【００８１】
図６は、本発明の他の実施例による適応形輝度調整機能を有する液晶表示装置を説明するための図であり、図７は、本発明によって設定される単位セルを説明するための図である。
【００８２】
図１及び図６を参照すると、本発明の他の実施例による適応形輝度調整機能を有する液晶表示装置は、液晶表示モジュール１００、タイミング制御部２００、ゲートドライバー（またはスキャンドライバー）３００、データドライバー４００、バックライト用電力変換器５００及び階調電圧発生部６００を含み、前記図１と同一な動作を行う構成要素に対しては、図示及びそれに対する説明を省略する。
【００８３】
また、本発明の他の実施例で開示するタイミング制御部２００は、データ係数部２１０、第１合算部２２０、第２合算部２３０、比較部２４０、映像照会部２７０及び輝度制御部２８０を含み、前記図１と同一な動作を行う構成要素に対しては同一な図面番号を付与し、これに対する説明も省略する。
【００８４】
映像照会部２７０は、フレーム係数部２７２、保存部２７４、データ比較部２７６及び映像判別部２７８を含んで、入力される映像データの特性が動映像であるか停止映像であるかをチェックして、チェックされた映像に応じて相違した映像判別信号２７１を出力する。
【００８５】
より詳しくは、フレーム係数部２７２は外部から入力されるｋ番目フレームの映像データにおいて、複数の単位セルに対応する第１データセットを各々抽出して保存部２７４に第１保存し、（ｋ＋Ｎ）番目フレームの映像データが入力される場合に、複数の単位セルに対応する第２データセットを各々抽出して保存部２７４に保存した後、第１データセットと第２データセットとをデータ比較部２７６に提供する。
【００８６】
ここで、複数の単位セルは図７に示したように、一つのピクセルを含む３*３ピクセルブロックであって、ＬＣＤパネルにディスプレイされるべき映像データのうちの画面の中央に対応する第１地点（Ｅ）、画面の上端部の中央に対応する第２地点（Ｂ）、画面の下端部の中央に対応する第３地点（Ｈ）、画面の中端部の左側に対応する第４地点（Ｄ）、画面中端部の右側に対応する第５地点（Ｆ）を含むのが好ましい。
【００８７】
また、画面の上端部の左側に対応する第６地点（Ａ）、画面の上端部の右側に対応する第７地点（Ｃ）、画面の下端部の左側に対応する第８地点（Ｇ）、画面の下端部の右側に対応する第９地点（Ｉ）をさらに含むこともできる。
【００８８】
前記図７では各々のピクセルブロックの位置を画面の上端部や下端部、左側部や右側部を基準に１／６や１／２などで配置されることをその一例にしたが、このような数値で本発明の要旨を限定することではない。
【００８９】
保存部２７４はメモリまたはレジスターなどからなって、フレーム係数部２７２から単位セルに対応する各々の映像データが入力されるとこれを保存する。
【００９０】
データ比較部２７６は、フレーム係数部２７２から第１データセットと第２データセットとを比較してデータ比較信号としての第１信号または第２信号を映像判別部２７８に提供する。例えば、特定セルに対応する映像データの間で比較して、第１データセットと第２データセットとが同一である場合には第１信号として‘０’を設定して出力し、相違した場合には第２信号として‘１’を設定して出力する。ここで、設定される第１信号と第２信号を‘０’と‘１’をその一例として説明したが、‘１’と‘０’に設定することもでき、他の値に設定することもできる。
【００９１】
映像判別部２７８は、データ比較部２７６から第１信号として‘０’が入力される場合には停止映像であると判断して第１映像判別信号を輝度制御部２８０に出力し、第２信号として‘１’が入力される場合には動映像であると判断して第２映像判別信号を輝度制御部２８０に出力する。
【００９２】
輝度制御部２８０はバックライト輝度処理部２８２、メモリ／ガンマ制御部２８４及びＲＯＭ２８６を含んで、前記第１映像判別信号または第２映像判別信号を基にしてバックライト輝度信号に対応するバックライト制御信号とガンマ電圧制御用信号を出力する。
【００９３】
より詳しくは、バックライト輝度処理部２８２は、前記映像照会部２７０から第１映像判別信号が入力される場合にはバックライト輝度信号とは関係のない第１制御信号を前記電力変換器５００に出力し、前記映像照会部２７０から第２映像判別信号が入力される場合には前記バックライト輝度信号に応じた第２制御信号を前記電力変換器５００に出力する。
【００９４】
メモリ／ガンマ制御部２８４は、前記第１制御信号が入力される場合には、バックライト輝度信号とは関係せずに補正されたガンマ電圧又は、一定の値のガンマ電圧を保存するＲＯＭ２８６からガンマ電圧を抽出して出力し、前記第２制御信号が入力される場合にはバックライト輝度信号に基づいて補正されたガンマ電圧をガンマ処理部２９０に出力する。
【００９５】
ガンマ処理部２９０は、メモリ／ガンマ制御部２８４から提供されるバックライト輝度信号に基づいて補正されたガンマ電圧、バックライト輝度信号とは関係せずに補正されたガンマ電圧または一定の値のガンマ電圧を受信してデータドライバー４００に提供する。ここで、ガンマ処理部２９０はタイミング制御部２００とは別途に構成されることを説明したが、タイミング制御部２００に含ませることもできる。
【００９６】
以上の本発明の他の実施例で説明したように外部から入力される映像データの特性を調べて、停止映像であると判別される場合には液晶表示装置がモニター用として用いて見ることができる。すなわち、前記本発明の一実施例による輝度増大機能を停止させ、外部からの基準信号による一定の輝度信号あるいは自体に設定された一定の輝度信号を常に提供することにより、安定した画面を出力して、消費電力を節減することができ、画面のコントラストを維持することもできる。
【００９７】
また、入力される映像データの特性が動映像と判別される場合には液晶表示装置がＴＶ用やビデオプレーヤー用またはＤＶＤ用などとして用いて見ることができるので、本発明の一実施例による輝度増大機能を活性化して輝度増大信号による高輝度を出力することができ、画面のコントラストを維持することもできる。
【００９８】
この時、映像データが停止映像であるか動映像であるかをチェックする一つの方法は、一つのフレームで複数個の単位セルに区分し、一定の間隔のフレーム別データ信号を比較して表示画面を停止映像であるかまたは動映像であるかをチェックすることである。
【００９９】
以下では、入力される映像が動映像であるかまたは停止映像であるかをチェックする方法について、添付する図面を参照して詳細に説明する。
【０１００】
図８Ａ乃至図８Ｂは、本発明の他の実施例による適応形輝度調整機能を有する液晶表示装置の駆動方法を説明するためのフローチャートである。
【０１０１】
図８Ａ、図８Ｂを参照すれば、まず、前記図７に示したように、一つのフレームでディスプレイされる複数の単位セルに設定する（段階Ｓ６１０）。
【０１０２】
次に、現在入力されているフレームから単位セルに対応する映像データを抽出した第１データセットを保存する（段階Ｓ６１５）。この時保存される第１データセットは９ポイントに対応するデータであることもでき、十字模様の各ポイントに対応する５ポイントに対応するデータであることもできる。
【０１０３】
次に、Ｎフレームが経過したか否かをチェックして（段階Ｓ６２０）、Ｎフレームが経過した場合には入力されるフレームから単位セルに対応する映像データを抽出した第２データセットを保存し、既に保存された第１データセットと第２データセットとを比較し、第１比較データを保存する（段階Ｓ６２５）。
【０１０４】
次に、第１データセットと第２データセットが同一であるか否かをチェックして（段階Ｓ６３０）、同一であるとチェックされる場合には第１比較データとして‘０’に設定し（段階Ｓ６３２）、相違したとチェックされる場合には第１比較データとして‘１’に設定する（段階Ｓ６３４）。
【０１０５】
次に、水平方向比較データの出力値、例えば３ポイントが全て‘１’であるか否かをチェックして（段階Ｓ６４０）、水平方向比較データの出力値がある一つでも‘１’でない場合には比較データの４つ以上が‘１’であるか否かをチェックする（段階Ｓ６４５）。ここでは水平方向比較データの出力値をチェックすることをその一例に説明したが、垂直方向比較データの出力値をチェックしても可能である。
【０１０６】
段階Ｓ６４５で比較データの４つ以上が‘１’である場合には動映像と判定し（段階Ｓ６５０）、４つ以上が‘１’でない場合には停止映像と判定し（段階Ｓ６５２）、段階Ｓ６４０で水平または垂直方向比較データの出力値が全て‘１’である場合には動映像と判定する（段階Ｓ６５４）。
【０１０７】
段階Ｓ６５０、Ｓ６５２、Ｓ６５４以後Ｍ（ここで、Ｍは前記Ｎよりは大きい正の整数）フレームが経過したか否かをチェックして（段階Ｓ６６０）、Ｍフレームが経過された場合には、入力されるフレームから単位セルに対応する映像データを抽出した第３データセットを保存し、第２データセットと第３データセットとを第２比較し、第２比較データを保存する（段階Ｓ６６５）。
【０１０８】
次に、第２比較データが‘１’であり、設定画面が動映像である第１条件を満たすか否かをチェックして（段階Ｓ６７０）、前記第１条件を満たす場合には前記段階Ｓ６７０を２回遂行したか否かをチェックする（段階Ｓ６７５）。段階Ｓ６７５で前記段階Ｓ６７０を２回遂行したとチェックされる場合には段階Ｓ６１５にフィードバックし、２回遂行しなかったとチェックされる場合には段階Ｓ６６０にフィードバックする。ここでは、第１条件を満たす場合に前記段階Ｓ６７０を２回遂行することをその一例に説明したが、３回またはそれ以上の回数を遂行することを例に挙げることもできる。
【０１０９】
段階Ｓ６７０で第２比較データが‘１’でなく設定画面が動映像でない場合には、第２比較データのうちの中間地点の比較データが‘０’であり設定画面が停止映像である第２条件を満たすか否かをチェックして（段階Ｓ６８０）、前記第２条件を満たす場合には前記段階Ｓ６８０を２回遂行したか否かをチェックする（段階Ｓ６８５）。段階Ｓ６８５で前記段階Ｓ６８０を２回遂行したとチェックされる場合には段階Ｓ６１５にフィードバックし、２回遂行しなかったとチェックされる場合には段階Ｓ６６０にフィードバックする。
【０１１０】
前記では本発明の好ましい実施例を参照して説明したが、該当技術分野の熟練した当業者であれば特許請求の範囲に記載された本発明の思想及び領域から外れない範囲内で本発明を多様に修正及び変更させることができることが理解できるのであろう。
【０１１１】
以上で説明したように本発明の一実施例によれば、液晶表示装置で一つのフレームをなすＲＧＢ映像データの階調電圧レベルをチェックする。チェックされた階調電圧のレベル数によって高輝度レベルであると判別される場合には、バックライトの輝度を一般レベルより高く制御し、低輝度レベルであると判別される場合には、一般レベルのバックライトの輝度を維持する。かつ、同時に低い階調データの階調変換を実施することにより、より高いコントラストを実現することができる。
【０１１２】
つまり、局部的に高い階調に集中する画面（または、高いコントラストが要求される画面）や全体的に高い階調が多い画面（または、高い明るさが要求される画面）の場合にはバックライトの輝度を高くし、そうでない場合は、輝度を正常に維持することによって、液晶表示装置のコントラストを高く、またはダイナミックレンジを広くすることができる。
【０１１３】
また、本発明の他の実施例によれば、表示画面のうちの特定部分を複数個選択して、映像データの変化を追跡及び観察することによって表示される映像の特性を規定し、これにより前記本発明の一実施例によるデジタル方式のＡＩ、すなわち、映像データが動画か静止画かを判別してバックライト制御する機能を使用するかの可否を判断して、バックライトの輝度レベルを制御することができる。
【０１１４】
また、本発明の他の実施例によってデジタル方式のＡＩに対する適用の可否を判断して、これにより補正されたガンマ電圧レベルの出力を制御することができる。このようなバックライトの輝度レベルの制御と、補正されたガンマ電圧レベルの出力制御とによって、ディスプレイ画面のコントラストを調整させることができ、該当液晶表示装置が停止映像などをディスプレイする時の消費電力を節減することができる。
【図面の簡単な説明】
【０１１５】
【図１】本発明の一実施例による液晶表示装置を説明するための図
【図２】一般的な階調別データ数を説明するための図
【図３】本発明の一実施例による液晶表示方法を説明するためのフローチャート
【図４】本発明によってチューニングする前の階調別輝度とチューニングした後の階調別輝度を説明するための図
【図５】本発明によってバックライトの輝度変化を考慮した階調チューニングを示した図
【図６】本発明の他の実施例による液晶表示装置を説明するための図
【図７】本発明によって設定される単位セルを説明するための図
【図８Ａ】本発明の他の実施例による液晶表示装置の駆動方法を説明するためのフローチャート
【図８Ｂ】本発明の他の実施例による液晶表示装置の駆動方法を説明するためのフローチャート
【符号の説明】
【０１１６】
１００  液晶表示モジュール
１１０  ＬＣＤパネル
１２０  バックライト部
２００  タイミング制御部
２１０  データ係数部
２１２  Ｒデータ係数部
２１２−１  データ判別部
２１２−３  第１カウンター
２１２−５  第２カウンター
２１２−７  第１合算器
２１２−９  第２合算器
２１４  Ｇデータ係数部
２１６  Ｂデータ係数部
２２０  第１合算部
２３０  第２合算部
２４０  比較部
２４１  輝度制御信号
２５０  メモリ制御部
２５１  階調変換制御信号
２５５、２８６  ＲＯＭ
２６０  ＳＲＡＭ部
２６２  第１ＳＲＡＭ
２６４  第２ＳＲＡＭ
２６６  第３ＳＲＡＭ
２７０  映像照会部
２７１  映像判別信号
２７２  フレーム係数部
２７４  保存部
２７６  データ比較部
２７８  映像判別部
２８０  輝度制御部
２８２  バックライト輝度処理部
２８４  メモリ／ガンマ制御部
２９０  ガンマ処理部
３００  ゲートドライバー
４００  データドライバー
５００  バックライト用インバーター（電力変換器）
６００  階調電圧発生部
【図１】
0004878622.tif 000002
【図２】
0004878622.tif 000003
【図３】
0004878622.tif 000004
【図４】
0004878622.tif 000005
【図５】
0004878622.tif 000006
【図６】
0004878622.tif 000007
【図７】
0004878622.tif 000008
【図８Ａ】
0004878622.tif 000009
【図８Ｂ】
0004878622.tif 000010